(57)【要約】【課題】主電源の故障時に予備電源の電力消費を抑える。【解決手段】車両ドアのロック解除に関与する第１の電子機器２１およびロック解除に関与しない第２の電子機器２２と、第１の電子機器２１および第２の電子機器２２に電力を供給する第１の電力供給手段３１と、第１の電力供給手段３１の故障時に、第１の電子機器２１のみに電力を供給する第２の電力供給手段３２とを備える。【選択図】図２
2007009625.tif 000002
【特許請求の範囲】
【請求項１】
車両ドアのロック解除に関与する第１の電子機器およびロック解除に関与しない第２の電子機器と、
前記第１の電子機器および第２の電子機器に電力を供給する第１の電力供給手段と、
前記第１の電力供給手段の故障時に、前記第１の電子機器のみに電力を供給する第２の電力供給手段とを備えることを特徴とする車両用ドアロック装置。
【請求項２】
請求項１に記載の車両用ドアロック装置において、
車室外のユーザーが携帯する携帯機との間で通信する通信回路と、
前記携帯機からの信号に基づきロック解除の許可／不許可を判定する判定回路と、
ユーザーからのドアロック解除指令を検出するロック解除検出手段とを備え、
前記第２の電力供給手段は、前記第１の電力供給手段の故障時に、前記ドアロック解除指令が検出されるまでは前記携帯機との間で通信を行わず、前記ドアロック解除指令が検出されると前記携帯機との間で通信を行うように前記通信回路に電力を供給するとともに、前記判定回路でロック解除の許可と判定されるとドアロック解除用の電力を供給することを特徴とする車両用ドアロック装置。
【請求項３】
請求項１または２に記載の車両用ドアロック装置において、
前記第２の電力供給手段は、前記第１の電力供給手段から供給される電力を蓄電することを特徴とする車両用ドアロック装置。
【請求項４】
請求項１〜３のいずれか１項に記載の車両用ドアロック装置において、
前記第２の電力供給手段は、前記第１の電力供給手段の正常時に充電を行うことを特徴とする車両用ドアロック装置。
【請求項５】
請求項１〜４のいずれか１項に記載の車両用ドアロック装置において、
前記第２の電力供給手段は、電源部と、電源部からの電力供給の有無を検出する検出部と、電源部を制御する制御部とを有し、
前記制御部は、前記検出部により電源部からの電力供給が検出されると、前記第１の電子機器のみに電力を供給するように電源部を制御することを特徴とする車両用ドアロック装置。
【請求項６】
車両ドアのロック解除に関与する第１の電子機器およびロック解除に関与しない第２の電子機器に第１の電力供給手段により電力を供給し、
前記第１の電力供給手段の故障時に、第２の電力供給手段により前記第１の電子機器のみに電力を供給することを特徴とする車両用ドアロック方法。
【発明の詳細な説明】
【技術分野】
【０００１】
本発明は、主電源の故障時においてもドアロックを解除可能な車両用ドアロック装置およびドアロック方法に関する。
【背景技術】
【０００２】
従来、ドアにシリンダ錠を有することなく、ドアロックをアンロックするために、車両に設けられた電源からの電力によって車両周囲に磁界を発生させ、この磁界による電力を利用してユーザーが携帯するキーからＩＤを送信させ、このＩＤと車両が有するＩＤが一致した場合に、ドアロックをアンロックさせるようにした技術が知られている（例えば特許文献１参照）。上記従来技術においては、主電源の故障時においてもドアのアンロックを許可するために、磁界の発生のために専用の予備電源を用いるようにしている。
【０００３】
【特許文献１】特開２００３−２６２０５４号公報
【発明の開示】
【発明が解決しようとする課題】
【０００４】
しかしながら、上記公報記載の装置は、キーを有するユーザーが車両周囲に存在するかを監視するために、常時予備電源の電力を使用していたので、電力消費が大きかった。
【課題を解決するための手段】
【０００５】
本発明による車両用ドアロック装置およびドアロック方法は、車両ドアのロック解除に関与する第１の電子機器およびロック解除に関与しない第２の電子機器に第１の電力供給手段により電力を供給し、第１の電力供給手段の故障時に、第２の電力供給手段により第１の電子機器のみに電力を供給する。
【発明の効果】
【０００６】
本発明によれば、第１の電力供給手段の故障時に、車両ドアのロック解除に関与する電子機器のみに第２の電力供給手段から電力を供給するようにしたので、第２の電力供給手段の電力消費を抑えることができる。
【発明を実施するための最良の形態】
【０００７】
図１は、本発明の実施形態による車両用ドアロック装置の構成例を示すブロック図である。このロック制御装置１００は車両に備えられたものであり、コントローラ１０に、エマージェンシー用スイッチ２１、通常制御用スイッチ２２、電源ユニット３０、ロッキング解錠機構４０が、それぞれ接続されて構成されている。そして、以下で詳細に説明するように、本実施の形態による車両用ドアロック装置では、主電源３１の故障時に予備電源３２から電力を供給するとともに、通常制御用スイッチ２２への通電を禁止し、エマージェンシー用スイッチ２１のみ通電可能とする。
【０００８】
電源ユニット３０は主電源３１と予備電源３２からなり、主電源３１とコントローラ１０の間に予備電源３２が接続される。そして主電源３１が正常状態にあるときは主電源３１からコントローラ１０に電力が供給されるとともに、主電源３１の電力が予備電源３２としてのバッテリ３３に充電される。主電源３１の故障時にはバッテリ３３に蓄電された電力がコントローラ１０に供給される。バッテリ３３は小型であり、バッテリ３３には主電源３１の故障に備えて必要最小限の電力が蓄電される。そのため、主電源３１の故障時におけるバッテリ３３の消費電力を最小限に抑える必要がある。
【０００９】
エマージェンシー用スイッチ２１は、主電源３１の故障時にドアロックを解除するために操作されるスイッチであり、車両ドア外面に設けられた図示しないスイッチボタンによって操作され、スイッチ２１の操作により車両外部からロック解除指令を入力する。通常制御用スイッチ２２はロック解除とは無関係なスイッチであり、ギアポジションを検出しているスイッチ（Ｐレンジ検出スイッチ等）やパーキングブレーキのオンオフを検出するスイッチなどである。
【００１０】
コントローラ１０には、ユーザーが携帯するリモコン５０に対し信号の送信を要求する送信回路１１が形成されている。送信回路１１は主電源３１の故障時に、エマージェンシー用スイッチ２１の操作によりアンテナ１２を起動させる。すなわち、エマージェンシー用スイッチ２１が操作されると、予備電源３２から送信回路１１に供給される電力を制御部１３が制御し、コイルに電流を流してアンテナ１２から磁界を発生させる。なお、主電源３１の正常時には、エマージェンシー用スイッチ２１の操作によらず、所定時間毎に制御部１３がアンテナ１２を起動させる。
【００１１】
アンテナ１２から発生した磁界が車両外部のリモコン５０に及ぶと、リモコン５０の受信回路５１に電流が流れ、ＲＯＭ５２に記憶されたキーＩＤの電波信号を図示しないアンテナを介してリモコン５０からコントローラ１０に送信する。コントローラ１０の制御部１３では、リモコン５０から受信したキーＩＤとＲＯＭ１４に記憶されたＩＤとを照合し、両者が一致するとロッキング解錠信号を出力する。
【００１２】
ロッキング解錠機構４０は車両ドアのロックを解除するものである。ロッキング解錠機構４０はロック解除用モータを有し、制御部１３からロッキング解錠信号が出力されると、ロック解除用モータが駆動してドアロックを解除する。
【００１３】
本実施の形態では、主電源３１の故障時に予備電源３２の電力消費を抑えるために、ドアロックの解除に関与するエマージェンシー用スイッチ２１のみ通電を許可し、ドアロック解除に関与しない通常制御用スイッチ２２への通電を禁止する。以下、この点について説明する。
【００１４】
図２は、スイッチ２１，２２の操作を検出するコントローラ１０の内部構成を示す図である。レギュレータ１０１は予備電源３２から供給される所定電圧（１２Ｖ）を所定電圧（５Ｖ）に変換する。レギュレータ１０１には電圧回路１０２が接続され、電圧回路１０２にはトランジスタ１０３を介して電圧回路１０４が直列に接続されている。電圧回路１０２の電圧（５Ｖ）は、エマージェンシー用スイッチ２１の入力回路１０５に分配され、電圧回路１０４の電圧（５Ｖ）は、通常制御用スイッチ２２の入力回路１０６に分配される。
【００１５】
ＣＰＵなどで構成される制御回路１０７には予備電源３２が接続され、主電源３１が故障して予備電源３２から電力供給が開始されると、それに伴い予備電源作動信号が入力される。この予備電源作動信号に応じて制御回路１０７がトランジスタ１０３を制御する。図３は制御回路１０７における処理を示すフローチャートである。ステップＳ１では予備電源３２から予備電源作動信号が入力されたか否か、すなわち主電源３１の故障により予備電源３２から電力供給が開始されたか否かを判定する。
【００１６】
主電源３１が故障でないときは、ステップＳ１が否定されてステップＳ２に進み、トランジスタ１０３をオンする。これにより電圧回路１０４で電圧（５Ｖ）が生成され、通常制御用スイッチ２２の通電が許可される。一方、主電源３１が故障のときは、ステップＳ１が肯定されてステップＳ３に進み、トランジスタ１０３をオフする。これにより電圧回路１０４で電圧が生成されず、通常制御用スイッチ２２の通電が禁止される。
【００１７】
本実施の形態に係る車両用ドアロック装置の動作をまとめると次のようになる。
（１）正常時
主電源３１が正常に動作していれば、コントローラ１０には主電源３１からの電力が供給されるため制御回路１０７に予備電源作動信号は入力されず、トランジスタ１０３がオンされる（ステップＳ２）。このため電圧回路１０４で電圧（５Ｖ）が生成されて通常制御用スイッチ２２の通電が許可され、通常制御用スイッチ２２の作動による車両の制御が可能となる。また、この状態では所定時間毎にアンテナ１２が起動し、リモコン５０を携帯したユーザーが車両に近づくとキーＩＤを受信する。そしてＩＤの照合の後、ロッキング解錠機構４０によりドアロックが解除される。
【００１８】
（２）故障時
主電源３１の故障時には、制御回路１０７に予備電源作動信号が入力され、トランジスタ１０３がオフされる（ステップＳ３）。このため電圧回路１０４で電圧は生成されず、エマージェンシー用スイッチ２１のみが通電可能となる。また、この状態ではユーザーがエマージェンシー用スイッチ２１を操作するまでアンテナ１２は起動せず、スイッチ２１の操作によりアンテナ１２が起動すると、キーＩＤを受信する。そしてＩＤの照合の後、ロッキング解錠機構４０によりドアロックが解除される。これにより予備電源３２の電力消費を必要最小限に抑えることができる。
【００１９】
本実施の形態によれば以下のような作用効果を奏することができる。
（１）主電源３１が故障している場合に、予備電源３２からの電力をドアロック解除に関与する部品（エマージェンシー用スイッチ２１，ドアロック解錠機構４０）のみに供給可能とし、ドアロック解除に関与しない部品（通常制御用スイッチ２２等）には供給しないようにした。これにより主電源３１が故障した場合であってもドアロックを解除することができるととともに、予備電源３２の電力消費を必要最小限に抑えることができる。
（２）主電源３１の故障時に、エマージェンシー用スイッチ２１の操作によりアンテナ１２を起動するようにしたので、車両周囲に磁界を発生させてリモコン５０のＩＤとの照合によりドアロックを解除する場合にも、電力消費を最小限に抑えることができる。
（３）主電源３１の正常時、つまり主電源３１からコントローラ１０に電力が供給されている場合は、所定時間毎にアンテナ１２を起動するので、エマージェンシー用スイッチ２１を操作する必要がなく、ドアを容易にアンロックすることができる。
（４）予備電源３２の作動を表す予備電源作動信号に応じてトランジスタ１０３を制御するので、構成が容易である。
（５）主電源３１とコントローラ１０の間に予備電源３２を接続し、主電源３１の正常時に主電源３１からの電力を予備電源３２に充電するので、主電源３１の故障時に予備電源３２に蓄電された電力を用いてドアロックを解除することができる。
【００２０】
なお、上記実施の形態では、予備電源作動信号に応じて制御回路１０７がトランジスタ１０３をオフすることで、電圧回路１０４で電圧を生成させずに予備電源３２の電力をエマージェンシー用スイッチ２１のみに供給するようにしたが、主電源３１の故障時にドアロック解除に関与する電子機器のみに予備電源３２からの電力を供給するのであれば、第２の電力供給手段の構成はいかなるものでもよい。すなわち電源部としての予備電源３２と、予備電源作動信号を検出する検出部としての制御回路１０７と、予備電源３２を制御する制御部としての制御回路１０７により第２の電力供給手段を構成しなくてもよい。
【００２１】
エマージェンシー用スイッチ２１をロック解除に関与する電子機器として用い、通常制御用スイッチ２２をロック解除に関与しない電子機器として用いたが、第１の電子機器および第２の電子機器はこれに限らない。第１の電力供給手段を構成する主電源３１とコントローラ１０の間に予備電源３２を接続したが、回路構成はこれに限らない。主電源３１の故障時に、ロック解除検出手段としてのエマージェンシー用スイッチ２１が操作されると、通信回路としてのアンテナ１２を介してリモコン５０に電力を供給するとともに、リモコン５０からのＩＤを受信し、判定回路としての制御部１３で照合してドアロックを解除するようにしたが、ロック解除に係わる構成は図１に示したものに限らない。例えばリモコン自体が電源を有するものでもよい。
【００２２】
すなわち、本発明の特徴、機能を実現できる限り、本発明は実施の形態の車両用ドアロック装置に限定されない。なお、以上の説明はあくまで一例であり、発明を解釈する際、上記実施形態の記載事項と特許請求の範囲の記載事項の対応関係になんら限定も拘束もされない。
【図面の簡単な説明】
【００２３】
【図１】本発明の実施の形態による車両用ドアロック装置の構成例を示すブロック図である。
【図２】図１のコントローラの内部構成を示す図である。
【図３】図２の制御回路における処理動作を説明するフローチャートである。
【符号の説明】
【００２４】
１０  コントローラ
２１  アンテナ
２２  オープナスイッチ
２３  ロックセンサ
２４  ドア開スイッチ
３１  ラッチ駆動モータ
３２  ロック駆動モータ
２００  リモコン
【図１】
2007009625.tif 000003
【図２】
2007009625.tif 000004
【図３】
2007009625.tif 000005